(57)【要約】【課題】室内機と室外機との間の配線接続を簡易、迅速に行うことのできる空気調和機を提供する。【解決手段】室内に設置される室内機２と、室内機２との間で冷凍サイクルを構成する室外機３とを備える空気調和機１において、室内機２と室外機３とを結ぶ信号線Ｓと電源線Ｅとからなる配線は、一方が備えるコンセントｃと他方が備えるプラグｐとを結合することにより電気的に接続される。【選択図】図１
2008157564.tif 000002
【特許請求の範囲】
【請求項１】
室内に設置される室内機と、前記室内機との間で冷凍サイクルを構成する室外機とを備える空気調和機において、
前記室内機と前記室外機とを結ぶ信号線と電源線とからなる配線は、一方が備えるコンセントと他方が備えるプラグとを結合することにより電気的に接続されることを特徴とする空気調和機。
【請求項２】
前記室外機のコンセントと接続される前記室内機に設けられた配線が備える前記プラグの位置は、前記室内機から延びる前記室外機との間で接続される冷媒配管が備えるユニオンの位置と重ならない位置に設けられていることを特徴とする請求項１に記載の空気調和機。
【請求項３】
室内に設置される室内機と、前記室内機との間で冷凍サイクルを構成する室外機とを備える空気調和機において、
前記室内機及び前記室外機はともにプラグを備え、室内と室外とを隔てる渡り部分に室内側及び室外側に向けて設置されたコンセントに前記プラグをそれぞれ挿入することにより、前記室内機と前記室外機とを結ぶ信号線と電源線からなる配線が電気的に接続されることを特徴とする空気調和機。
【請求項４】
前記電源線は、より線で構成されていることを特徴とする請求項１ないし請求項３のいずれかに記載の空気調和機。
【発明の詳細な説明】
【技術分野】
【０００１】
本発明は、室内機と室外機との配線の接続を簡易、迅速に行うことのできる空気調和機に関する。
【背景技術】
【０００２】
いわゆるスプリット型（室内外分離型）の空気調和機では、室内機に電源プラグが設けられ、室内機はもちろんのこと、室内機から室外機に対して電源の供給が行われている。また、室外機の制御は室内機からの信号により行われるが、この信号も室内機の制御手段から室外機の制御手段に対して送信される。この室内機から室外機への電源供給、信号の送信は、室内機、室外機にそれぞれ設けられた配線接続用の差込式コネクタを利用して行われる。
【０００３】
すなわち、室内機に設けられた差込式コネクタに単線からなる電源ケーブル及び信号ケーブルの一端を差し込み、同様に室外機に設けられた差込式コネクタに電源ケーブル及び信号ケーブルの他端を差し込む。このように接続することで、室内機と室外機とは電源ケーブル及び信号ケーブルにより電気的に接続される。
【０００４】
この点に関して、例えば、以下の特許文献１には、室外機本体内に配置される電機部品に接続されるリード線が、配線蓋で覆われる部位にある端子部であるＳＬコネクタに接続されるとともに、このコネクタには、外部配線が接続され、室内機を介して外部市中電源に電気的に接続される旨、記載されている。なお、ここで示した「ＳＬコネクタ」は、上記差込式コネクタのことである。
【０００５】
また、特許文献２には、室内機側の差込式コネクタにより室内機が室外機と電気的に接続される例が示されている。
【特許文献１】特許第３０５１８５６号公報
【特許文献２】特開平９−６０９１８号公報
【発明の開示】
【発明が解決しようとする課題】
【０００６】
しかしながら、上述した各特許文献に示されている空気調和機において採用されている室内機と室外機との接続方法では、例えば、ビニール被覆されたケーブルから配線の差し込みに必要な長さ分だけビニールの被覆をはがし、銅の単線をむき出しにして差込式コネクタに差し込む作業が必要となる。
【０００７】
空気調和機の設置にあたりこのような作業を必ず行わなければ室内機と室外機とが電気的に接続できないとすると、手間がかかるとともに設置工事に時間が掛かる。
【０００８】
本発明は上記課題を解決するためになされたものであり、本発明の目的は、室内機と室外機との間の配線接続を簡易、迅速に行うことのできる空気調和機を提供することである。
【課題を解決するための手段】
【０００９】
本発明の実施の形態に係る特徴は、室内に設置される室内機と、室内機との間で冷凍サイクルを構成する室外機とを備える空気調和機において、室内機と室外機とを結ぶ信号線と電源線とからなる配線は、一方が備えるコンセントと他方が備えるプラグとを結合することにより電気的に接続される。
【発明の効果】
【００１０】
本発明によれば、室内機と室外機との間の配線接続を簡易、迅速に行うことのできる空気調和機を提供することができる。
【発明を実施するための最良の形態】
【００１１】
以下、本発明の第１の実施の形態について、図面を参照して詳細に説明する。
【００１２】
（第１の実施の形態）
図１に示すように、本発明の実施の形態に係る空気調和機１は、室内機２と室外機３とからなり、この室内機２と室外機３とは渡り部分４、すなわち、室内空間から建造物の壁を経由して室外空間を介して室内側と室外側にそれぞれ設置されている。
【００１３】
室内機２は建造物の内部に設置されており、例えば、図示しないリモートコントローラ等で設定された温度に基づいて室内を適切な温度に保つように室内制御手段２１の制御に基づいて冷暖房運転や空気循環を行う。室内機２内には空気調和機１全体を制御する室内制御手段２１と、冷凍サイクルを構成する室内側熱交換器２３、室内送風機２４、吹出し空気の風向を変更するルーバ２５等の機器が納められている。空気調和機１は、室内機２に設けられている電源ケーブル２２のプラグ２２ａを室内に設けられているコンセントＣに差し込むことによって、商用電源Ｐから電力の供給を受けて運転される。この商用電源Ｐは、電力会社から供給される単相交流電源である。
【００１４】
室外機３は、建造物の外部に設置されており、空気調和機１の室内機２に冷媒配管、電源線等を通じて接続されている。室外機３内には室内制御手段２１と通信を行い室外機の制御を行う室外制御手段３１、冷凍サイクルを構成するインバータ３２、圧縮機３３等の電気機器が収納されている。
【００１５】
本発明の実施の形態における空気調和機１は、図１に示すような冷凍サイクルを構成している。冷凍サイクルによる暖房運転は、破線の矢印に示されているように、まず、室外機３内に設けられているインバータ３２によって可変速駆動される圧縮機３３が冷媒を圧縮し、高温高圧にされる。高温高圧になった冷媒は、四方弁３４と冷媒配管Ｄを通り室内側熱交換器２３で凝縮される。この凝縮が行われる際に発生する熱が室内送風機２４及びルーバ２５によって室内に供給されることにより室内が暖房される。放熱して低温になった液冷媒は、再度冷媒配管Ｄを通り室外機３内の膨張弁３５で低温低圧の冷媒となり、室外側熱交換器３６に導かれる。冷媒は室外送風機３７からの風を受けて室外側熱交換器３６で蒸発して外気から熱を奪い、温度の上がった低圧の気体となる。この気体となった冷媒は再び四方弁３４を通って圧縮機３３に吸い込まれ、圧縮されて高温高圧となり、これまでのサイクルを繰り返す。一方冷房運転は、実線の矢印に示される順序で冷媒が循環し、室内側熱交換器２３で蒸発することで室内冷房が行われる。
【００１６】
この冷凍サイクルによる冷暖房運転を行う際に駆動される室内送風機２４及びルーバ２５は室内機２内の室内制御手段２１によって、インバータ３２、四方弁３４、室外送風機３７は、室外機３内に設けられている室外制御手段３１によって制御される。室内制御手段２１と室外制御手段３１は、それぞれマイコン等の電子部品から構成される。
【００１７】
図１において一点鎖線の配線用接続部Ｗに示すように、室内機２と室外機３とは信号線Ｓ及び電源線Ｅによって接続されている。信号線Ｓは、室内制御手段２１と室外制御手段３１とを結び相互に情報をやり取りしている。また、電源線Ｅは、室内機２がプラグ２２ａをコンセントＣに差し込んで商用電源Ｐから供給される電気を受けて、室外機３に電気を供給するためのものである。
【００１８】
図１では、概念的に信号線Ｓは１本の実線、電源線Ｅは２本の実線によって示しているが、図２以降の実際の本発明の実施の形態においては、より具体的に、この信号線Ｓと電源線Ｅをまとめて絶縁被覆した１本の配線ＳＥとして示している。そして、室内機２と室外機３との接続を容易にするために室内機２、室外機３から外に引き出された端部において配線用接続部Ｗを構成している。なお、電源線Ｅを信号線Ｓと兼用し、２本の電線で電力と信号とをやり取りさせることも可能である。また、信号線Ｓを電源線Ｅとは独立した２本の電線としても良い。
【００１９】
例えば、図１の配線用接続部Ｗに示した例では、室内機２側の信号線Ｓ２と電源線Ｅ２ａ及びＥ２ｂは、一端は室内制御手段２１に接続され、他端は室内機２の外に引き出されプラグ２ｐに接続されている。一方、室外機３側の信号線Ｓ３と電源線Ｅ３ａ及びＥ３ｂは、一端は室外制御手段３１に接続され、他端は室外機３の外に引き出されコンセント３ｃに接続されている。これら信号線Ｓと電源線Ｅとが予めプラグｐ或いはコンセントｃとにまとめられており、プラグ２ｐがコンセント３ｃに差し込まれることにより、室内機２及び室外機３の電気的な接続は完了する。
【００２０】
図２は、配線用接続部Ｗにおける別の接続形態を示す模式図である。図２では、室内機２から引き出されたプラグ２ｐが渡り部分４である、室内空間４ｂ、壁４ａ、室外空間４ｃを通り室外機３の設置される屋外にまで伸ばされており、このプラグ２ｐが室外機３のコンセント３ｃに挿入されることで室内機２及び室外機３は電気的に接続される。なお、プラグ２ｐは、壁４ａに設けられた貫通孔４ｄを通して室内空間４ｂから室外空間４ｃに引き出される。
【００２１】
図３は、配線用接続部Ｗにおける別の接続形態を示す模式図である。図３では、図２における場合と反対に、室外機３から引き出されたプラグ３ｐが渡り部分４を通り抜けて室内機２の設置される室内空間４ｂにまで伸ばされており、このプラグ３ｐが室内機２のコンセント２ｃに挿入されることで室内機２及び室外機３は電気的に接続される。
【００２２】
図４は、配線用接続部Ｗにおけるさらに別の接続形態を示す模式図である。図２及び図３では、室内機２或いは室外機３のいずれか一方がプラグｐを備えており、他方がコンセントｃを備えて一方のプラグｐが他方のコンセントｃに挿入されることにより室内機２と室外機３とが電気的に接続される。この図４で示す場合は、渡り部分４の壁４ａの室内側壁面と室外側壁面のそれぞれにコンセント４ｅが予め設置されている。このコンセント４ｅは、壁４ａ内部で室内側と室外側との間が結線されており、室内機２のプラグ２ｐ及び室外機３のプラグ３ｐをそれぞれ壁面のコンセント４ｅに挿入することにより、室内機２と室外機３とが電気的に接続される。このようなコンセント４ｅ及び壁面内の配線接続は、新築等で壁を作る時に予め配設しておくことが望ましい。
【００２３】
以上のように、室内機と室外機とを結ぶ信号線と電源線の先端をプラグｐ或いはコンセントｃとし、このプラグｐをコンセントｃに差し込むことによって、室内機と室外機との間の配線接続を可能とすることで、配線接続を簡易、迅速に行うことのできる空気調和機を提供することができる。
【００２４】
なお、上述の実施の形態における室内機と室外機とを結ぶ配線ＳＥは、図５の断面図に示すように、信号線Ｓと電源線Ｅはそれぞれが絶縁分離した状態で塩化ビニル等の絶縁被覆ＳＥ１によって覆われた１本の配線ＳＥで構成されている。そして、この配線ＳＥの内部に収納されているの信号線Ｓと電源線Ｅの各々の電線を柔軟性のある銅のより線で構成すればフレキシビリティに富んだ配線を行うことができ、室内機と室外機との間の配線ＳＥの敷設作業を簡易、迅速に行うことが可能となる。また、信号線は大きな電流は流れないため、大電流が流れるために太さが必要な電源線だけをより線とし、信号線は細い単線を用いても良い。
【００２５】
（第２の実施の形態）
次に本発明における第２の実施の形態について説明する。なお、第２の実施の形態において、上述の第１の実施の形態において説明した構成要素と同一の構成要素には同一の符号を付し、同一の構成要素の説明は重複するので省略する。
【００２６】
図６は、背面から見た室内機２を示す模式図である。この室内機２の背面からは、室外機３と接続される冷媒配管Ｄと信号線Ｓ２及び電源線Ｅ２がまとめられた配線ＳＥが引き出されている。冷媒配管Ｄを構成する２本の配管には、それぞれ室外機３との渡り冷媒配管Ｄとをフレア接続するためのユニオン（配管接続継ぎ手用ナット）Ｕが設けられている。一方、配線ＳＥの室内機２から引き出された端部には、プラグ２ｐが設けられている。
【００２７】
本発明の第２の実施の形態においては、この配線ＳＥのプラグ２ｐの位置が、ユニオンＵの位置とずらして設けられている点に特徴を有する。このプラグ２ｐとユニオンＵとをずらす態様としては、例えば図６に示すように、冷媒配管Ｄを構成する管のうち、長さの長い管よりもさらにＬ１分配線ＳＥを長くし、その先にプラグ２ｐを設けることが考えられる。また、図７に示すように、冷媒配管Ｄを構成する管のうち、長さの短い管よりもさらにＬ２分配線ＳＥを短くし、その先にプラグ２ｐを設けることが考えられる。
【００２８】
このようにプラグ２ｐとユニオンＵとの位置をずらすことにより、配線ＳＥと冷媒配管Ｄとを壁４ａを通して室外機３側に引き出す際に、壁４ａにはプラグ２ｐと冷媒配管Ｄ或いはユニオンＵと配線ＳＥの組み合わせのうちいずれか幅（径）の広いものを通すだけの径をもつ穴を開ければよい。そのため、渡り部分４に設ける穴に引っかけることなくプラグ２ｐの設けられた配線ＳＥとユニオンＵが設けられた冷媒配管Ｄを同時に通すことが可能となる。
【００２９】
従って、渡り部分４に開ける穴をより小さくすることができ、しかも配線ＳＥと冷媒配管Ｄとを同時に通すことができることから、より作業性を向上させることができ、室内機と室外機との間の配線接続を簡易、迅速に行うことのできる空気調和機を提供することができる。
【００３０】
なお、図２、図４に示す実施の形態ではプラグｐとコンセントｃの接続を室外側において行なっている。この場合、室外では風雨にさらされる可能性があることから、防水型のコンセントと防水型のプラグを用いなければならない。
【００３１】
また、上述の実施の形態においては、スプリット型（室内外分離型）の空気調和機を例に挙げて説明を行ったが、本発明は、渡り部分を挟んでその両側に設置される空調機器を電気的に接続する場合にも適用することができる。
【図面の簡単な説明】
【００３２】
【図１】本発明の実施の形態に係る空気調和機の構成を示すブロック図である。
【図２】本発明の実施の形態に係る室内機と室外機の配線用接続部における接続形態を示す模式図である。
【図３】本発明の実施の形態に係る室内機と室外機の配線用接続部における接続形態を示す模式図である。
【図４】本発明の実施の形態に係る室内機と室外機の配線用接続部における接続形態を示す模式図である。
【図５】本発明の実施の形態における室内機と室外機とを結ぶ配線の断面図である。
【図６】本発明の第２の実施の形態に係る室内機の配線と冷媒配管との関係を説明する模式図である。
【図７】本発明の第２の実施の形態に係る室内機の配線と冷媒配管との関係を説明する模式図である。
【符号の説明】
【００３３】
１…空気調和機、２…室内機、３…室外機、４…渡り部分、４ａ…壁、４ｂ…室内空間、４ｃ…室外空間、ｃ…コンセント、ｐ…プラグ、Ｗ…配線用接続部、Ｓ…信号線、Ｅ…電力線  ＳＥ…配線。
【図１】
2008157564.tif 000003
【図２】
2008157564.tif 000004
【図３】
2008157564.tif 000005
【図４】
2008157564.tif 000006
【図５】
2008157564.tif 000007
【図６】
2008157564.tif 000008
【図７】
2008157564.tif 000009